(57)【特許請求の範囲】
【請求項１】
無線回線により基地局との間で通信路を形成して画像を送信する無線通信端末において、
操作者の入力に従って録画を拒否する旨を表わす情報を記憶する設定手段と、
画像の受信側の装置から送信された前記画像の録画要求が受信されたとき、前記設定手段に前記情報が記憶されている場合、前記受信側の装置に録画の拒否を送信する制御手段と
を備えたことを特徴とする無線通信端末。
【請求項２】
無線通信端末と、その無線通信端末から送信された画像を受信する受信側の装置とからなる無線通信システムにおいて、
前記無線通信端末は、
操作者の入力に従って録画を拒否する旨を表わす情報を記憶する設定手段と、
前記受信側の装置から送信された録画要求が受信されたとき、前記設定手段に前記情報が記憶されている場合、前記受信側の装置に録画の拒否を送信する制御手段とを備え、
前記受信側の装置は、
前記無線通信端末から送信された画像の録画要求を無線通信端末へ送信することを特徴とする無線通信システム。
【発明の詳細な説明】
【０００１】
【発明の属する技術分野】
本発明は、無線通信端末およびこれを用いた無線通信システムに関する。
【０００２】
【従来の技術】
無線通信端末は、音声の他に画像も通信できる端末として開発がすすんでいる。この種の端末で通信を行なう場合、送信される画像データは、受信されて画面上に再生される。
【０００３】
画像通信端末開発にあたり、受信側が再生される画像の録画を行なう機能を盛込むことが検討されている。しかしながら、受信側で自由に録画が可能となると、送信側には受信側で録画が行なわれることを知ることができないことになり、送信者の知らないうちに、送信された画像が受信者により転用されてしまう可能性があり、セキュリテイ上問題となる。
【０００４】
【発明が解決しようとする課題】
上述のごとく、従来の画像通信端末では、画像の送信者の意図しないところで受信側で録画が行なわれる可能性があり、セキュリテイ上問題があった。
【０００５】
本発明は、画像を通信するにあたり、画像の送信者の意図に反した録画を防止できることを目的とする。
【０００６】
【課題を解決するための手段】
本発明は、録画の禁止を送信者側で設定できるようにする機能を備えて構成される。
【０００７】
【発明の実施の形態】
（第１の実施形態）
本発明の一実施例を図面を用いて説明する。
【０００８】
本発明の機能を備えている移動局ＭＳの具体的な構成とその制御につき説明する。図１は移動局の構成を示しており、アンテナに接続される高周波部は通常の移動局と変わらない構成である。具体的には、シンセサイザＳＹＮからの局部発信信号にもとづいて、アンテナＡＮＴから共用器ＤＵＰを経由して受信した信号を周波数変換する受信部ＲＸを備え、低い周波数信号（ベースバンド信号）に変換された信号を出力する。ベースバンド信号は復調部ＤＥＭＯＤで復調される。
復調された信号の処理については、後述する。
【０００９】
一方、送信系統については、後述する多重化部ＭＵＸからのベースバンド信号を変調部ＭＯＤで変調する。変調された信号は、シンセサイザＳＹＮからの局部発信信号にもとづいて送信部ＴＸにて高周波信号に周波数変換される。周波数変換された高周波信号は共用器ＤＵＰを経由してアンテナから送信される。
【００１０】
制御部は、シンセサイザＳＹＮが供給する局部発信信号の周波数の制御の他に変調部、復調部の制御の他、各部の制御を行う。
【００１１】
受信系統に話を戻すと、復調された復調信号は、多重化分離部ＤＥ−ＭＵＸにスイッチ１を介して供給される。制御部ＣＯＮＴからの制御信号により、スイッチ１が切替えられると、復調信号はメモリＭＥＭＯＲＹに記憶される。
【００１２】
復調信号は、今回受信する信号として▲１▼音声データのみの場合▲２▼画像データのみの場合▲３▼音声データと画像データとが多重化された場合の３通りがある。▲１▼、▲２▼の場合には、復調信号が多重分離部ＤＥ−ＭＵＸに入力されても素通りする。
▲３▼のように音声データと画像データが多重化されている場合には、これらの多重化された状態をほどいて再生するために多重化分離部ＤＥ−ＭＵＸにて分離される。
【００１３】
多重分離部から出力された音声データは音声復号化部ＶＯＩＣＥＤＥＣに入力されて、ここで音声ＰＣＭ信号に復号されて、スピーカから音声として出力される。一方、多重分離部から出力された画像データは、画像復号化部ＩＭＡＧＥＤＥＣに入力されて、ここで画像ＰＣＭ信号に復号されて、表示部に画像として出力される。
【００１４】
なお、画像復号化部ＩＭＡＧＥＤＥＣへは、符号復号ソフトが供給される。符号復号ソフトは、制御部ＣＯＮＴが送信されてくる信号の中に含まれる通信モードを検出することで、画像データの圧縮方式を認識し、これにもとづいて適したソフトが選択される。
【００１５】
送信系統も、マイクＭＩＣから入力される音声は、音声ＰＣＭ信号として音声符号化部ＶＯＩＣＥＤＥＣに入力される。音声符号化部では、ＰＣＭ信号を圧縮して、音声データとして出力する。またカメラＣＡＭＥＲＡから入力される信号は画像ＰＣＭ信号として画像符号化部に入り、ここで圧縮されて画像データとして出力される。
【００１６】
送信する対象は、受信の場合と同様に▲１▼音声データのみの場合▲２▼画像データのみの場合▲３▼音声データと画像データの場合の３通りがあるが、▲１▼、▲２▼の場合は圧縮されたデータは、多重化部ＭＵＸを素通りして変調部ＭＯＤに出力される。一方、▲３▼の場合は、音声データと画像データは多重化部ＭＵＸにて多重化されて多重化信号として変調部に供給される。入力部ＫＥＹは、操作者が指示するための入力部だが、所定の設定、例えば留守モードの設定も入力部ＫＥＹを通して操作者が行う。
【００１７】
本発明のうち、静止画を録画するにあたっての認証制御を図２に示す。図は送信側と受信側の制御を表わしたものである。まず、送信側（端末１）が対象物をカメラで撮影したのち、パスワードを特定する（１００）。撮影された画像は、予め特定してあるパスワードとともに送信される（１０２）。送信された画像は、受信側（端末２）が受信して画面に表示する（１０４）。受信した画像について、端末２のユーザ２が録画を希望する場合、端末制御部は、パスワードの入力を促す（１０６）。端末２のユーザ２からパスワードが入力されると（１０８）入力されたパスワードが、受信されるパスワードと一致した場合は、録画可能モードに設定され、設定された旨がユーザに通知される（１１０，１１２）。録画が開始されると（１１４）。端末１に録画が開始されたことを通知し（１１６）端末１は録画が開始されたことを通知する（１１８）。
【００１８】
ステップ１１０において、入力されたパスワードと受信されたパスワードとが不一致の場合は、不一致だった旨を端末２のユーザ２に通知し（１２０）、端末１に対してパスワードの公開要求を行なうための要求信号を送信する（１２２）。端末１が要求を受信したときにはユーザ１にパスワード要求のあったことを通知する（１２４）。この場合音声パスを通じてユーザ２がユーザ１に知らせるようにしても良い。ここでのユーザ１に対して、制御部は、送信した画像の録画を許可するかどうかユーザ１に質問する（１２６）。許可する場合にはパスワードを送信し、受信側ではこれを受信し、受信されたパスワードをユーザ２に直接通知する（１２８）。パスワードを知ったユーザ２は、これを認識して正規なパスワードを入力して録画が開始できるようになる（１３４、１１２，１１４）
一方、ステップ１２６で録画が不許可となった場合には、不許可を表わす信号を送信する（１３０）。これを知ったユーザ２は録画を断念することになる。
【００１９】
録画の不許可または許可の連絡手段は、信号の送受で行なう例を上記では説明したが、これに限定されず、ユーザ間の音声パスにより行なっても良い。
【００２０】
なお、毎回同じパスワードであると、次回以降、受信側で勝手に録画されてしまうので、ユーザ１が任意に変更できるようにするとなお良い。また、端末制御部が乱数で通信ごとに異なるパスワードを発生するようにして、発生されたパスワードを端末１で表示してユーザ１に知らせ、これをユーザ１がユーザ２に知らせるといった方法でも良く、毎回異なるパスワードの自動設定が可能となる。
【００２１】
（第２の実施形態）
上記した実施例は静止画の録画の認証機能に付き説明したが、動画の認証機能を具体化したのが第２の実施例である。図３を使って説明するが、ここでは符号化方式として、ＭＰＥＧ―４で符号化される動画の録画に関して説明する。
【００２２】
ＭＰＥＧ−４方式は、初めにカメラで撮影された画像のうち初期画像の送信が端末１によってなされ（２００、２０２）、続いて差分データが送信される（２０４）。端末２は初期画像とこれに続く差分データを受信することで動画を再生する（２０６、２０８）。
【００２３】
差分データが送られているときに、ユーザ２が録画を開始しようとしても、そのときには差分データのみしか記録できないので、後での再生ができない。したがって、動画像を記録して再生する場合は、まず基準となる初期画像とこれに続く差分データを端末２で取り込む必要がある。
【００２４】
そのために、ユーザ２が初期画像を取り込むために本実施例では、ユーザ２からの録画指示入力を受けると（２１０）、一旦動画通信を切断し（２１２、２１４）、録画に必要な初期画像の要求信号が送られる（２１６）。録画要求を受信した端末１は、録画要求のあったことをユーザ１に知らせる（２１８，２２０）。このときユーザ１は、ユーザ２が初期画像を要求している、すなわち録画を行なおうとしている事が分かる。それを知ったユーザ１は、録画されるのが嫌な場合は、初期画像の送信を拒否してその旨をユーザに音声パスなどを通じて知らせて、それ以降の音声通信のみを継続する（２２２、２２４、２２５）。これにより受信側の端末２では、初期画像の再受信ができず、受信側での動画の録画を防止できる。
【００２５】
ステップ２２２でユーザ１がユーザ２による録画を許可する場合は、初期画像の送信を指示し（２２６）、これに続く差分データの送信を行なう（２２８）。端末２は送信される初期画像を保存し（２３０）、続いて送信される差分データを保存する（２３２）ことで動画の再生が可能となる。
【００２６】
（第３の実施形態）
動画の録画要求があったのちに、送り手に録画の承認を求める方法を、図３を使って説明したが、予め録画を拒否するかどうかを送り手に選択させておいて、受け手から録画要求があったときに、即座に対応できるという機能も有効である。これを図４を使って説明する。
【００２７】
ＭＰＥＧ−４方式を使ってカメラで対象物が撮影された（３００）のち、受信側で録画されたくない場合、送信側は録画禁止設定情報を入力し、制御部はこれを受付ける（３０２）。その後、初期画像、差分データの送信に移る（３０４，３０５）。受信側はこれらを受信することで動画を再生する（３０６，３０８）。
【００２８】
差分データが送られているときに、ユーザ２が録画を開始しようとして録画要求の指示入力を行なうと（３１０）、一旦画像通信を切断し（３１２、３１４）、録画に必要な初期画像の要求信号を送信する（３１６）。
【００２９】
端末１は要求信号を受信する（３１８）と、予め録画禁止設定入力がされていれば、音声通信のみを継続する（３２０，３２２）。録画禁止が設定されていることは音声パスを通じて、受信側に伝えても良いし、信号として送信しても良い。
【００３０】
こうすることで、端末１からの録画拒否の応答が早く行われる結果、第２の実施例のような応答待ちの時間分、回線を占有してしまうという問題も解消できる。
【００３１】
また、録画禁止設定がされていない場合は、端末１は初期画像、差分データの順で送信する（３２４，３２６）。受信側の端末２は送信される初期画像を受信し、保存する（３２８）。さらに続いて送信される差分データを受信し、保存する（３３０）。保存される初期画像、差分データとで動画を再生できる。
【００３２】
【発明の効果】
以上説明したように、本発明によれば、画像を通信するにあたり、画像の送信者の意図に反した録画を防止できる。
【図面の簡単な説明】
【図１】本発明の実施例の移動局の構成を示すブロック図
【図２】本発明の第１の実施例の静止画の録画の認証制御を示すフローチャート図
【図３】本発明の第２の実施例である動画の録画の認証制御を示すフローチャート図
【図４】本発明の第３の実施例である動画の録画の認証制御を示すフローチャート図
【符号の説明】
ＣＯＮＴ…制御部
【図１】
0004559582.tif 000002
【図２】
0004559582.tif 000003
【図３】
0004559582.tif 000004
【図４】
0004559582.tif 000005